(57)【要約】      （修正有）【課題】ペットの健康被害のおそれを回避でき、さらにはユーザが低温やけどを発症するおそれの少ない電気こたつを提供する。【解決手段】床面上に設置され、こたつ布団内に差し込んだ足を温めるようにした電気こたつにおいて、受座１１が脚１２によって床面５０上方に支持され、該受座にこたつ布団３０が掛けられるこたつ本体と、こたつ本体下方の床面に敷設され、通電によって発熱する電気カーペット２０と、こたつ本体の受座下面に設けられ、電気カーペットからの熱を蓄熱して下方に放熱する蓄熱部材４０と、を備える。電気カーペットの表面温度を検出する第１の温度センサーと、第１の温度センサーの信号を受け、電気カーペット２０の表面温度と該表面温度によって低温やけどを発症するおそれのある時間とによって電気カーペットへの通電をＯＮ／ＯＦＦする制御装置をさらに備えるのがよい。【選択図】図２
0003190110.tif 000002
【実用新案登録請求の範囲】
【請求項１】
床面上に設置され、こたつ布団内に差し込んだ足を温めるようにした電気こたつにおいて、
受座（１１）が脚（１２）によって床面（５０）上方に支持され、該受座（１１）にこたつ布団（３０）が掛けられるこたつ本体（１０）と、
該こたつ本体（１０）下方の床面（５０）に敷設され、通電によって発熱する電気カーペット（２０）と、
上記こたつ本体（１０）の受座（１１）下面に設けられ、上記電気カーペット（２０）からの熱を蓄熱して下方に放熱する蓄熱部材（４０）と、
を備えたことを特徴とする電気こたつ。
【請求項２】
上記電気カーペット（２０）の表面温度を検出する第１の温度センサー（６１）と、該第１の温度センサー（６１）の信号を受け、上記電気カーペット（２０）の表面温度と該表面温度によって低温やけどを発症するおそれのある時間とによって上記電気カーペット（２０）への通電をＯＮ／ＯＦＦする制御装置（６０）をさらに備えた請求項１記載の電気こたつ。
【請求項３】
上記蓄熱部材（４０）の温度を検出する第２の温度センサー（６２）をさらに備え、上記制御装置（６０）は上記第２の温度センサー（６２）の信号を受け、上記電気カーペット（２０）への通電開始時には上記電気カーペット（２０）が高温の第１の設定温度となるように通電をＯＮ／ＯＦＦし、上記蓄熱部材（４０）が設定温度に達した後は上記電気カーペット（２０）が第１の設定温度よりも低温の第２の設定温度となるように通電をＯＮ／ＯＦＦするようになした請求項２記載の電気こたつ。
【請求項４】
上記第１の設定温度が４４°Ｃ以上４６°Ｃ未満であり、上記第２の設定温度が３８°Ｃ以上４４°Ｃ未満である請求項３記載の電気こたつ。
【請求項５】
上記蓄熱部材（４０）に設けられ鉄粉の酸化による自己発熱かいろ、及び電気カーペット（２０）の電源ＯＦＦ時に電気カーペット（２０）上に設置される湯たんぽのいずれか一方又は両方をさらに備えた請求項１記載の電気こたつ。
【考案の詳細な説明】
【技術分野】
【０００１】
本考案は電気こたつに関し、特にペットの健康被害のおそれを回避でき、さらにはユーザが低温やけどを発症するおそれの少ない電気こたつに関する。
【背景技術】
【０００２】
電気こたつは床面、例えば畳やフロアーの上に受座を四隅の脚によって支持し、受座にこたつ布団を掛け、その上に天板を搭載し、こたつ布団内に差し入れた足を温めるようにした構造が広く採用されている。
【０００３】
従来この種の電気こたつには、受座の下面に遠赤外線ヒータを設け、遠赤外線ヒータからの放熱によって足を温めるようにしたものが知られている（特許文献１）。
【０００４】
また、受座の下面に赤外線ヒータを設ける一方、床面上に電気カーペットを敷設し、上下から足を温めるようにしたものも知られている（特許文献２）。
【先行技術文献】
【特許文献】
【０００５】
【特許文献１】特開２００６−９０５６８号公報
【特許文献２】特開平０５−３２２１８４号公報
【考案の開示】
【考案が解決しようとする課題】
【０００６】
しかし、特許文献１、２記載の電気こたつではこたつ布団内に強い赤外線又は遠赤外線が放射されるので、猫や犬などのペットが長時間、電気こたつ内にもぐっていると、強い赤外線又は遠赤外線を受けて白内障になるなどの健康被害のおそれがあった。
【０００７】
また、特許文献２記載の電気こたつでは赤外線ヒータによる上方からの放熱と、電気カーペットによる下方からの放熱によってこたつ布団内を温めるようにしているので、足の温度が直ちに上昇して温かく感じるものの、赤外線ヒータ及び電気カーペットのＯＮ／ＯＦＦの制御をこまめにしないと、電気カーペットの表面が赤外線ヒータからの熱を受けて高温になって低温やけどを発症するおそれがある。
【０００８】
この考案はかかる問題点に鑑み、ペットの健康被害のおそれを回避でき、さらにはユーザが低温やけどを発症するおそれの少ない電気こたつを提供することを課題とする。
【課題を解決するための手段】
【０００９】
そこで、本考案に係る電気こたつは、床面上に設置され、こたつ布団内に差し込んだ足を温めるようにした電気こたつにおいて、受座が脚によって床面上方に支持され、該受座にこたつ布団が掛けられるこたつ本体と、該こたつ本体下方の床面に敷設され、通電によって発熱する電気カーペットと、上記こたつ本体の受座下面に設けられ、上記電気カーペットからの熱を蓄熱して下方に放熱する蓄熱部材と、を備えたことを特徴とする。
【００１０】
本考案の特徴の１つは床面上に電気カーペットを敷設し、こたつ本体の受座下面に蓄熱部材を設け、電気カーペットの熱を蓄熱部材で蓄熱するようにした点にある。これにより、こたつ布団内に強い赤外線や遠赤外線が放射されないので、猫や犬などのペットが長時間、電気こたつ内にもぐっていても白内障になるおそれは少なく、ペットの健康を保つことができる。
【００１１】
また、本考案の第２の特徴は床面上の電気カーペットの熱を蓄熱部材で蓄熱して下方に放熱するようにした点にある。これにより、こたつ布団内の空間は蓄熱部材の下方への放熱と電気カーペットの上方への放熱によって、人間が温かく感じる温度に上昇するので、電気カーペットを高い温度に保持する必要がなく、低温やけどを発症するおそれを少なくできる。
【００１２】
ここで、低温やけどは、人体の接触部位の表面温度と接触時間によって発症することが知られている。例えば、表面温度が４０°Ｃ以下では長時間接触していても低温やけどをほとんど発症せず、４４°Ｃでは３時間〜４時間以上の接触で低温やけどを発症し、４６°Ｃでは３０分〜１時間、５０°Ｃでは２分〜３分で低温やけどを発症するとの報告がある（独立行政法人製品評価技術基盤機構  「低温やけど」の事故防止について：平成２１年１１月２６日）。
【００１３】
そこで、電気カーペットの表面温度を検出する第１の温度センサーと、第１の温度センサーの信号を受け、電気カーペットの表面温度と該表面温度によって低温やけどを発症するおそれのある時間とによって電気カーペットへの通電をＯＮ／ＯＦＦする制御装置をさらに備えるのが好ましい。
【００１４】
また、電気カーペットへの通電開始時に蓄熱部材が直ぐに温度上昇するように電気カーペットの設定温度を高くし、蓄熱部材が温かくなったあとは適切な温度に保持されるように電気カーペットの設定温度を低くするのが好ましい。
【００１５】
すなわち、蓄熱部材の温度を検出する第２の温度センサーをさらに備え、制御装置は第２の温度センサーの信号を受け、電気カーペットへの通電開始時には電気カーペットが高温の第１の設定温度となるように通電をＯＮ／ＯＦＦし、蓄熱部材が設定温度に達した後は電気カーペットが第１の設定温度よりも低温の第２の設定温度となるように通電をＯＮ／ＯＦＦするように構成するのがよい。
【００１６】
ここで、低温やけどの発症を考慮すると、第１の設定温度は４４°Ｃ以上４６°Ｃ未満とし、第２の設定温度は３８°Ｃ以上４４°Ｃ未満とするのが好ましい。
【００１７】
こたつ本体は座卓形式に適用するとこたつ布団内の空間が比較的狭く、暖房効果が大きいが、掘ごたつ形式であってもよく、この場合は床面は掘ごたつの内底面を意味する。
【００１８】
本考案は四脚構造のこたつ本体に適用するとその効果が大きいが、一脚構造のこたつ本体に適用することもできる。
【００１９】
蓄熱部材の材料は特に限定されないが、繰り返し使用性を考慮すると、潜熱蓄熱材料が好ましい。この潜熱蓄熱材料には例えばパラフィン、酢酸ナトリウム三水和物、エリスリトール、ゼオライト−アルコール系、活性炭−アルコール系、など公知の蓄熱材料を使用することができる。
【００２０】
また、蓄熱部材には電気カーペットの放熱による蓄熱部材の昇温を補助するために鉄の酸化によって発熱する自己発熱カイロを設けるようにしてもよい。
【００２１】
また、買い物に出かけるなど、家を留守にする場合、電気カーペットの電源はＯＦＦにするのが好ましい。しかし、本考案に係る電気こたつをペットの暖房に使用する場合にはペットの暖房が別途必要である。そこで、電気カーペットの電源をＯＦＦとした後には電気こたつ内の電気カーペットの上に湯たんぽを入れておくと、電気こたつ内の温度降下を少なくでき、ペットの暖房に活用することができる。
【００２２】
また、電気カーペットからは電磁波が放射され、人体やペットへの悪影響が懸念される。そこで、コンセントからアースをとるか、簡易アース装置を設置するのが好ましい。
【図面の簡単な説明】
【００２３】
【図１】本考案に係る電気こたつの好ましい実施形態を示す一部切開概略斜視図である。
【図２】上記実施形態における作用を説明するための図である。
【図３】上記実施形態における制御系の構成を示す図である。
【図４】上記実施形態における電気カーペットの表面温度の変化の例を示す図である。
【考案を実施するための形態】
【００２４】
以下、本考案を図面に示す具体例に基づいて詳細に説明する。図１ないし図４は本考案に係る好ましい実施形態を示す。図において、こたつ本体１０は四角形状の受座１１の四隅に脚１２を着脱可能に取付けて構成され、受座１１は脚１２によって畳５０やフロア（床面）の上方に支持されるようになっている。
【００２５】
このこたつ本体１０の受座１１上にはこたつ布団３０が掛けられ、その上に天板７０が乗せられるようになっている。
【００２６】
また、こたつ本体１０の下方の畳５０上には電気カーペット２０が敷設され、又こたつ本体１０の受座１１の下面には蓄熱部材４０が金網製の囲器４１によって取付けられ、蓄熱部材４０は袋内に公知の蓄熱材料を充填して構成されている。
【００２７】
図３は制御系の構成を示す。図において、６１は電気カーペット２０の表面温度を検出する第１の温度センサー、６２は蓄熱部材４０の表面温度を検出する第２の温度センサー、６０は第１、第２の温度センサー６１、６２の信号を受け、電気カーペット２０への通電開始時には電気カーペット２０が高温の第１の設定温度、例えば４６°Ｃとなるように通電をＯＮ／ＯＦＦし、蓄熱部材４０が設定温度、例えば４２°Ｃに達した後は電気カーペット２０が第１の設定温度よりも低温の第２の設定温度，例えば４４°Ｃとなるように通電をＯＮ／ＯＦＦするように構成されている。
【００２８】
電気こたつの電源スイッチをＯＮにすると、制御装置６０には通電開始の指示信号ａが入力され、制御装置６０と第１、第２の温度センサー６１、６２の信号を取り込み、電気カーペット２０に通電を開始する。
【００２９】
すると、電気カーペット２０は直ちに発熱を開始し、その表面温度は図４に示されるように上昇する。電気カーペット２０の表面温度が第１の設定温度、４６°Ｃに達すると、電気カーペット２０への通電がＯＦＦされ、電気カーペット２０の表面温度は低下するが、このとき蓄熱部材４０が電気カーペット２０の熱を受けて蓄熱し、電気カーペット２０の表面温度は徐々に降下することとなる。
【００３０】
電気カーペット２０の表面温度が例えば４２°Ｃまで低下すると、電気カーペット２０への通電が再開され、上記と同様に表面温度が上昇し、この動作を繰り返して蓄熱部材４０の温度が例えば４２°Ｃに達すると、制御装置６０は今度は電気カーペット２０の表面温度４４°Ｃで、通電をＯＦＦし、後は同様にして、表面温度４４°Ｃを上限として電気カーペット２０の通電をＯＮ／ＯＦＦする。
【００３１】
すると、こたつ布団３０内の温度は電気カーペット２０の熱と蓄熱部材４０の放熱とによって４３°Ｃ〜４４°Ｃに保持され、しかも電気カーペット２０のＯＮ時間は短く、消費電力を削減できる。
【００３２】
以上のように、電気カーペット２０の上にこたつ本体１０の受座１１を設置し、受座１１下面の蓄熱部材４０によって電気カーペット２０の熱を蓄熱するようにしたので、こたつ布団３０内に強い赤外線や遠赤外線が放射されることはなく、猫や犬などのペットが長時間、電気こたつ内にもぐっていても白内障になるおそれは少なく、ペットの健康を保つことができる。
【００３３】
また、こたつ布団３０内の空間は蓄熱部材４０の下方への放熱と電気カーペット２０の上方への放熱によって、人間が温かく感じる温度に素早く上昇するので、電気カーペット２０を高い温度、例えば４６°Ｃに保持する必要がなく、例えば４２°Ｃ〜４４°Ｃの温度範囲内で適切な時間間隔、具体的には低温やけどを発症しない時間間隔でＯＮ／ＯＦＦを繰り返すので、低温やけどを発症するおそれを解消できる。
【００３４】
さらに、電気カーペット２０を常時通電する必要がないので、消費電力を大幅に削減できる。
【符号の説明】
【００３５】
１０      こたつ本体
１１      受座
１２      脚
２０      電気カーペット
３０      こたつ布団
４０      蓄熱部材
５０      畳（床面）
６０      制御装置
６１      第１の温度センサー
６２      第２の温度センサー
【図１】
0003190110.tif 000003
【図２】
0003190110.tif 000004
【図３】
0003190110.tif 000005
【図４】
0003190110.tif 000006